(57)【要約】【課題】動物の運動を検知して一日における単位時間ごとの運動量や運動量のパターンをグラフ化して表示することができる小型の運動量測定表示器を提供すること。【解決手段】運動を検知する振動センサーと、振動センサーから出力されるパルス信号の所定の単位秒間における有無を判断してパルス信号「有り」の単位秒間の数をカウントしてメモリーに記憶させ、カウントされた値が積算されて所定の単位分間に達したときに、これが一日を複数個に区分してなる単位時間中の現在の単位時間における運動量として一個ずつ累積され、これを繰り返すことにより各単位時間ごとの運動量を算出する処理等を行なう制御装置と、制御装置の出力信号により一日における単位時間ごとの運動量を液晶画面にグラフ化して表示させる液晶表示器と、時刻表示及び時刻修正を行なう操作キーと、液晶画面のスクロールを行なうスクロールキーと、電源電池とを表示器本体に設けた。【選択図】図１
2007107943.tif 000002
【特許請求の範囲】
【請求項１】
動物の運動を検知する振動センサーと、その振動センサーから出力されるパルス信号の所定の単位秒間における有無を判断してパルス信号「有り」の単位秒間の数をカウントしてメモリーに記憶させ、そのカウントされた値が積算されて所定の単位分間に達したときに、これが一日を複数個に区分してなる単位時間中の現在の単位時間における運動量として一個ずつ累積され、これを繰り返すことにより各単位時間ごとの運動量を算出する処理及び各種制御を行なう制御装置と、その制御装置からの出力信号により一日における単位時間ごとの運動量を液晶画面にグラフ化して表示させる液晶表示器と、時刻表示及び時刻修正を行なう操作キーと、前記液晶画面のスクロールを行なうスクロールキーと、電源電池とを、動物に装着される表示器本体に設けたことを特徴とする動物の運動量測定表示器。
【請求項２】
前記液晶表示器の液晶画面については、単位時間を横辺とし単位分間を縦辺とする四角形のブロックを碁盤の目状に配置し、一日における各単位時間ごとの運動量を該ブロックによって棒グラフ状に表示するように設けられていることを特徴とする請求項１に記載した動物の運動量測定表示器。
【請求項３】
前記スクロールキーの操作によって過去の所定日数の運動量データを前記液晶画面に表示可能に設けたことを特徴とする請求項１又は２に記載した動物の運動量測定表示器。
【請求項４】
一日のスタート時から現在時刻までの運動量の総和又は一日分の運動量の総和を前記液晶画面に表示可能に設けたことを特徴とする請求項１から３の何れかに記載した動物の運動量測定表示器。
【発明の詳細な説明】
【技術分野】
【０００１】
本発明は、主にペット動物としての犬を対象とする運動量測定表示器に関する。
【背景技術】
【０００２】
ペット動物の運動量を測定する器具として、実開平７−４４５６７号公報に、人に用いる歩数計を小型化したものを犬や猫等の首に取付けるものが開示されている。
【０００３】
また、特開２００２−３１１９７２号公報には、犬や猫等のペットの歩行による運動量のデータを送信機により自動的に送信し、飼い主の携帯する受信機側にて運動量のデータ信号に応じて選択される音声台詞やメロディーが発せられるペットに用いる音声発生装置が開示されている。
【０００４】
前者公報に記載の器具は、犬や猫等の一日の運動量を歩行数により簡易的に知ることはできるが、一日における時間ごとの運動量や運動量のパターンを表示することはできない。
【０００５】
また、後者公報に記載の装置は、ペットに取り付ける送信機と飼い主の携帯する受信機とから構成されていて、ペット側から飼い主に対して運動量に基づいて発せられる言葉を飼い主が受信機によって聞くことができる機能を有する。ところが、ペットの運動だけに限って言うならば、前記装置は複雑であって製造コストが高くつき、一日における時間ごとの運動量や運動量のパターンを視覚的に表示することはできなかった。
【特許文献１】実開平７−４４５６７号公報
【特許文献２】特開２００２−３１１９７２号公報
【発明の開示】
【発明が解決しようとする課題】
【０００６】
本発明の目的は、動物の運動を検知して一日における単位時間ごとの運動量や運動量のパターンを表示画面によりグラフ化して表示することができると共に動物に装着可能な小型の運動量測定表示器を提供することにある。
【課題を解決するための手段】
【０００７】
前記目的を達成するために請求項１に記載した発明は、動物の運動を検知する振動センサーと、その振動センサーから出力されるパルス信号の所定の単位秒間における有無を判断してパルス信号「有り」の単位秒間の数をカウントしてメモリーに記憶させ、そのカウントされた値が積算されて所定の単位分間に達したときに、これが一日を複数個に区分してなる単位時間中の現在の単位時間における運動量として一個ずつ累積され、これを繰り返すことにより各単位時間ごとの運動量を算出する処理及び各種制御を行なう制御装置と、その制御装置からの出力信号により一日における単位時間ごとの運動量を液晶画面にグラフ化して表示させる液晶表示器と、時刻表示及び時刻修正を行なう操作キーと、前記液晶画面のスクロールを行なうスクロールキーと、電源電池とを、動物に装着される表示器本体に設けたことを特徴とする。
【０００８】
同様の目的を達成するために請求項２に記載した発明は、請求項１に記載した動物の運動量測定表示器において、前記液晶表示器の液晶画面については、単位時間を横辺とし単位分間を縦辺とする四角形のブロックを碁盤の目状に配置し、一日における各単位時間ごとの運動量を該ブロックによって棒グラフ状に表示するように設けられていることを特徴とするものである。
【０００９】
同様の目的を達成するために請求項３に記載した発明は、請求項１又は２に記載した動物の運動量測定表示器において、前記スクロールキーの操作によって過去の所定日数の運動量データを前記液晶画面に表示可能に設けたことを特徴とするものである。
【００１０】
同様の目的を達成するために請求項４に記載した発明は、請求項１から３の何れかに記載した動物の運動量測定表示器において、一日のスタート時から現在時刻までの運動量の総和又は一日分の運動量の総和を前記液晶画面に表示可能に設けたことを特徴とするものである。
【発明の効果】
【００１１】
（請求項１の発明）
この動物の運動量測定表示器は、動物の運動を検知して一日における単位時間ごとの運動量や運動量のパターンが表示画面によりグラフ化して自動的に表示されるので、内容の確認・把握が行ないやすく、動物の運動量管理に役立たせることができる。加えて、動物に装着可能な小型構造とされているので、大変使い勝手が良い。
【００１２】
（請求項２の発明）
この動物の運動量測定表示器は、一日における各単位時間ごとの運動量が表示画面に棒グラフ状に表示されるので、内容の確認・把握が行ないやすい。
【００１３】
（請求項３の発明）
この動物の運動量測定表示器は、スクロールキーの操作によって過去の所定日数の運動量データを液晶画面に表示可能であるので、動物の運動量管理に活用するのに便利である。
【００１４】
（請求項４の発明）
この動物の運動量測定表示器は、一日のスタート時から現在時刻までの運動量の総和又は一日分の運動量の総和を液晶画面に表示可能であるので、運動量の総和の確認が行ないやすい。
【発明を実施するための最良の形態】
【００１５】
以下に、本発明の最良の形態例を図面に基づいて説明する。図１は動物の運動量測定表示器の正面図、図２は電子制御回路の概要を示すブロック図、図３は液晶画面の説明図、図４は液晶画面に表示されるグラフ表示モード及び時刻入力モードの説明図である。
【００１６】
この実施形態における動物の運動量測定表示器は、ペット動物としての犬を使用対象とするものである。なお、本発明の動物の運動量測定表示器は、ペット動物に限定されることなく、人にも適用可能な構造とされている。
【００１７】
図１において、この動物の運動量測定表示器１の表示器本体２の側部には、犬の首又は胴体に装着するためのベルト３０を通す差込片３，３が一体状に設けられている。その表示器本体２の上面２ａには、後述する運動量等を表示するための液晶表示器１０を中央に配置し、液晶表示器１０の右箇所に当該液晶画面１１のスクロールを行なうための右スクロールキー１５と左スクロールキー１６を上下に配置し、液晶表示器１０の左箇所に時間修正キー１７、分修正キー１８及び時間表示キー１９を上下方向に順に配置している。
【００１８】
表示器本体２の内部には、図２に示すように、動物の運動を検知する振動センサー２１、各種の電子制御を行なう制御装置２５及び電子回路の電源としてのボタン型電池（図示せず）が収納されている。その制御装置２５は、マイクロプロセッサーＣＰＵ、クロック回路２６、運動量測定に関するプログラムが収められたメモリーＲＯＭ、振動センサー２１によるカウント数の記憶と過去のデータ等を記憶させるメモリーＲＡＭとから構成されている。
【００１９】
ここで、液晶表示器１０の液晶画面１１の構成について、図３に基づいて説明する。
この液晶画面１１は、単位時間を横辺とし単位分間を縦辺とする四角形のブロックａを碁盤の目状に配置し、一日における各単位時間ごとの運動量をブロックａによって棒グラフ状に表示するように設けられている。また、液晶画面１１の右上箇所には、一日のスタート時から現在時刻までの運動量の総和又は一日分の運動量の総和を表示可能に設けている。
【００２０】
なお、この明細書において、「単位秒間」とは、グラフの作成に必要な最小時間単位（この実施形態では１秒）であって、パルス信号入力が「有り」又は「なし」を判断するための時間単位をいう。「単位時間」とは、一日２４時間をグラフのｘ軸方向のブロック数（この実施形態では２４個）で除した値、即ち「１時間」をいう。「単位分間」とは、単位時間をグラフのｙ軸方向のブロック数（この実施形態では１２個）で除した値、即ち「５分」をいう。
【００２１】
上記制御装置２５においては、振動センサー２１から出力されるパルス信号の所定の単位秒間（１秒）における有無を判断してパルス信号「有り」の単位秒間の数をカウントしてメモリーＲＡＭに記憶させ、そのカウントされた値が積算されて所定の単位分間（５分）に達したときに、これが現在の単位時間における運動量として一個ずつ累積され、これを繰り返すことにより各単位時間ごとの運動量を算出する処理制御が行なわれるように設けられている。
【００２２】
つぎに、かかる構成になる本発明の動物の運動量測定表示器１の使用方法について説明する。
（１）最初に、表示器本体２にボタン型電池をセットすると、電源がオン状態となり、液晶画面１１が初期時刻設定入力モードとなる。そこで、時間修正キー１７、分修正キー１８を操作して現在の時刻に設定する。何れかのキーを押してから５秒以内に入力操作が行なわれなければ、液晶画面１１はグラフ表示モードとなる。
（２）（１）の初期設定後に、動物の運動量測定表示器１を飼い犬の首等に装着する。
（３）犬が動くことにより振動センサー２１からパルス信号が出力され、そのパルス信号の１秒間における有無を判断してパルス信号「有り」の単位秒間の数がカウントされてメモリーＲＡＭに記憶される。そのカウントされた値が積算されて５分間に達したときに、現在の単位時間における運動量としてブロックａが一個として表示される。これと同時に、カウントが０（ゼロ）にリセットされ、再び次のブロックａを表示するまでカウントが続けられ、これを繰り返し行なう。そして、新しいブロックａは前のブロックａの上に積み重ねて表示され、１時間経過すると、次の列に移って同様のブロックによるグラフ表示が続けられる。
（４）（３）におけるブロックによるグラフ表示作成と同時に、現在時刻までのブロック数がカウントされ、その総和がグラフ表示画面の右上に表示される。
（５）２４時になったときにカウントが停止され、２４時間分の全ての表示画面を次の日の新しい表示画面に切り替えられる。ついで、（３）と同様の処理制御が行なわれてブロックによるグラフ表示及び運動量の総和表示が行なわれる。
【００２３】
なお、前記グラフ表示モードのときに時間表示キー１９を押した場合には、グラフ表示モードが時刻入力モードに切り替わって現在の時刻の表示がなされる。このモードにおいて、時刻の修正が可能である。また、時刻表示又は時刻修正後に時間表示キー１９を再び押せば、元のグラフ表示モードに戻る。
【００２４】
この動物の運動量測定表示器１では、図４に示すように、一週間分の運動量を測定可能に設けられており、右スクロールキー１５と左スクロールキー１６の操作によって過去の所定日の運動量データを表示させて確認することができる。
【００２５】
以上に述べた通り、この動物の運動量測定表示器は、犬等の動物の運動を検知して一日における単位時間ごとの運動量や運動量のパターンが表示画面によりグラフ化して自動的に表示されるので、内容の確認・把握が行ないやすく、動物の運動量管理に役立たせることができる。
【図面の簡単な説明】
【００２６】
【図１】動物の運動量測定表示器の正面図
【図２】電子制御回路の概要を示すブロック図
【図３】液晶画面の説明図
【図４】液晶画面に表示されるグラフ表示モード及び時刻入力モードの説明図
【符号の説明】
【００２７】
１・・・動物の運動量測定表示器
２・・・表示器本体
１０・・・液晶表示器
１１・・・液晶画面
ａ・・・ブロック
１５・・・右スクロールキー
１６・・・左スクロールキー
２５・・・制御装置
ＲＯＭ・・・メモリー
ＲＡＭ・・・メモリー
【図１】
2007107943.tif 000003
【図２】
2007107943.tif 000004
【図３】
2007107943.tif 000005
【図４】
2007107943.tif 000006